(57)【要約】  アーム（３４、３５）の端部に配置されている少なくとも１つの指部（３６、３８）に複数の面取り部（４２、４４）を有するかみそりの接続部材（３０）を示す。両方のアームが各指部に２つの面取り部を有するのが望ましい。各面取り部は、指部の上面に対して角度を有して配置されている。本発明では、いかなる角度も企図されるが、第１の面取り部の角度は、第２の面取り部の角度よりも小さいのが望ましい。指部の軸受長さと第１の面取り角とはともに、ハウジングの背部の両端部にある開口部に入る指部に最適な空間距離を提供し、ユーザーの枢動操作及び制御を改善するように、バランスをとるのが望ましい。
2017502790.tif 000002
【特許請求の範囲】
【請求項１】
かみそり接続部材であって、
複数の面取り部を有する少なくとも１つの指部を含む、かみそり接続部材。
【請求項２】
前記接続部材がかみそりのハンドルから分離可能である、請求項１に記載のかみそり接続部材。
【請求項３】
前記接続部材がかみそりのハンドルと一体化している、請求項１に記載のかみそり接続部材。
【請求項４】
第１の面取り角が第２の面取り角より小さい、請求項１に記載のかみそり接続部材。
【請求項５】
第１の面取り部が、約１５〜約４５度の範囲の角度を有する、請求項１に記載のかみそり接続部材。
【請求項６】
第２の面取り部が、約４５〜約８０度の範囲の角度を有する、請求項１に記載のかみそり接続部材。
【請求項７】
前記少なくとも１つの指部の軸受長さが約１．５０ｍｍ〜約２．５０ｍｍの範囲である、請求項１に記載のかみそり接続部材。
【請求項８】
第１の面取り部が約２５度の角度を有し、前記指部が約１．９４ｍｍの軸受長さを有する、請求項１に記載のかみそり接続部材。
【請求項９】
カートリッジハウジングまでの前記指部の空間距離が約０．１３４ｍｍである、請求項１に記載のかみそり接続部材。
【請求項１０】
前記少なくとも１つの指部がカートリッジハウジングに取り付けられている、請求項１に記載のかみそり接続部材。
【請求項１１】
前記取り付けに係る構造が、指部が配置される開口部を前記ハウジングの背部に含む、請求項１０に記載のかみそり接続部材。
【請求項１２】
各少なくとも１つの指部がアームから延在する、請求項１に記載のかみそり接続部材。
【発明の詳細な説明】
【技術分野】
【０００１】
本発明は、かみそりカートリッジの接続部材、より具体的には、その部材の諸構造に関する。
【背景技術】
【０００２】
現存の多くのかみそりにおいて、ブレードユニット又はかみそりカートリッジは、ハンドルに間接的な接続部材、又はハンドルと一体化された、故にハンドルに直接的な接続部材のいずれかによって、ハンドルに接続されている。接続部材は、ブレードユニットに接続し、また多くの場合、ブレードユニットが軸の周りを接続部材に対して枢動できるようにする、一対のアームを通常有する。同様に、そのような独立型接続部材のない多くのかみそりにおいても（例えば、一体化された接続部材を上方部分に備えるハンドルを有する、使い捨てタイプのかみそり又はシステムタイプのかみそり）、ハンドルをブレードユニットに接続するために、また多くの場合、ブレードユニットが軸の周りをハンドルに対して枢動できるようにするために、一対のアームがまたハンドルの上方部分に通常は存在する。
【発明の概要】
【発明が解決しようとする課題】
【０００３】
かみそりの枢動機能は時折、最適に働かないことがある。一般に、その原因は、枢動旋回がつかえるか、そうでなければ動かない若しくは損なわれる、又は接続部材とかみそりカートリッジのハウジングとのその他の接触によるものであり得る。これは、長期間にわたる破片（例えば、切断された毛髪、乾燥した又は過剰な剃毛用製剤）の蓄積、又はかみそりの使用過程における多すぎる（例えば、ヘッドを下にした）物理的落下のために起こり得る。
【０００４】
製造は容易なままで枢動機構のより優れた制御及び機能性をもたらして消費者により快適な操作経験を提供するために、アームの構造の改善が必要である。
【課題を解決するための手段】
【０００５】
本発明によれば、かみそりの接続部材は、複数の面取り部を有する少なくとも１つの指部を含む。接続部材は、かみそりのハンドルから分離可能であるか、又はかみそりのハンドルと一体化している。
【０００６】
本発明の別の態様においては、第１の面取り角は、第２の面取り角より小さい。本発明の更なる態様においては、第１の面取り部は、約１５〜約４５度の範囲の角度を有し、第２の面取り部は、約４５〜約８０度の範囲の角度を有し、該少なくとも１つの指部の軸受長さは、約１．５０ｍｍ〜約２．５０ｍｍの範囲である。更なる態様においては、第１の面取り部は、約２５度の角度を有し、該指部は、約１．９４ｍｍの軸受長さを有する。
【０００７】
本発明の更に別の態様においては、カートリッジハウジングまでの該指部の空間距離は、約０．１３４ｍｍである。なおも更に、少なくとも１つの指部は、カートリッジハウジングに取り付けられ、この取り付けに係る構造は、指部が配置される開口部を該ハウジングの背部に含む。
【０００８】
特に定義されない限り、本明細書で使用されている全ての技術的用語及び科学的用語は、本発明が属する分野の当業者に共通に理解されるものと同じ意味を有している。本明細書に記載されているものと同様又は同等の方法及び材料を、本発明を実施又は試験するために使用することが可能であるが、好適な方法及び材料を以下に記載する。本明細書で言及される全ての刊行物、特許出願、特許、及び他の参考文献は、参照することによりそれらの全体が本明細書に組み込まれる。不一致である場合、定義を含め本明細書が適用される。加えて、材料、方法、及び例は、単に例示的なものであり、限定を意図したものではない。
【０００９】
本発明の他の特徴及び利点は、以下の詳細な説明及び特許請求の範囲から明らかとなるであろう。
【図面の簡単な説明】
【００１０】
本明細書は、本発明を構成すると見なされる主題を具体的に指摘しかつ明確に主張する特許請求の範囲を結論とするが、本発明は、添付の図面と関連してなされた以下の説明によって更に理解されると考えられ、添付の図面において同様の参照符号が、実質的に同一の要素を示すために用いられている。
【図１】従来の接続部材の概略図である。
【図２】図１の接続部材の指領域の１つの拡大図である。
【図３】本発明による、２つの面取り部を有する指部を伴うアームを有する新規の接続部材の概略図である。
【図４】図３の接続部材の２つの面取り部を有する１つの指部の拡大図である。
【図４ａ】従来の接続部材の空間距離の拡大図である。
【図４ｂ】本発明の接続部材の空間距離の拡大図である。
【図５】図３の接続部材の２つの面取り部を有するもう１つの指部の拡大図である。
【図６】本発明による、ブレードユニットを有するかみそりカートリッジに取り付けられるような、図３の接続部材の概略図である。
【図７】本発明による、ハンドルの上方部分に一体化した接続部材を有するかみそりの概略図である。
【発明を実施するための形態】
【００１１】
接続部材のアームの指部の少なくとも１つにおいて複数の面取り部を有する、本発明の新規の接続部材構造は、製造は容易なままで枢動機構の制御及び機能性を改善して、消費者にはるかに快適な操作経験を提供する。
【００１２】
本発明は、アームの指部の新規の構造に焦点を当てており、どのようにこの新規の接続構造体を製造するか、又はどのようにこれをブレードユニット上に組み立てるかについては、全体として説明していない。
【００１３】
「面取り部」という用語は、本明細書で使用されるとき、材料にある切り取りを指すが、この切り取りは通常、隣接する主面に対して９０度未満の角度である。「面取り部」という用語は多くの場合、斜面とも称され得、そのため、これらの用語は同等及び／又は置き換え可能と見なされ得る。
【００１４】
「接続部材」という用語は、本明細書で使用されるとき、ブレードユニットをハンドルに最終的に接続又は取り付ける役割をする構造体を指す。そのような部材は、類似した構造を有し得るが、異なるタイプのものであり得る。例えば、本発明の接続部材は、多くのかみそりにおけるように独立型構成要素であってよいが、この構成要素は、アーム及び指部を介してブレードユニットに、またその他の接続構造体を介してハンドルに、の両方に接合される。本発明の接続部材は、ハンドルと一体化して形成されて、又はハンドルが接続部材を介してブレードユニットに取り付けられるハンドルの上方部分に接合されて、ハンドルと一体に形成されてもよい。本発明のかみそりは、数回の剃毛の後に通常は廃棄される使い捨てタイプであってもよいし、又はブレードユニットを廃棄し（例えば、ハンドルは残す）新しい交換品を取り付けることができるシステムタイプであってもよい。
【００１５】
「傾斜した」という用語は、本明細書で使用されるとき、単数又は複数の角度を有する面が、斜めに配置されている又はある角度で曲がっていること指し得るが、これは直線状の場合もあるし、そうでない場合もある。
【００１６】
図１を参照すると、本体１２と、本体１２から外側に延在する一対のアーム１４及び１５と、を有する、従来の接続部材１０が示されている。アーム１４及び１５の端部１４ａ及び１５ａからは、それぞれ指部１６及び１８が延在している。図２に見られるように、指部１８は、丸い湾曲した輪郭１７を有する。図２には示されていないが、（水平にひっくり返して）対応する丸い湾曲した輪郭１７が指部１６にも見られる。
【００１７】
指部１８は、指部１８の傾斜した側面１８ｂから上面１８ａまでの角度を表す角度２４を有するものとして示されており、後者は図示されるように、実質的に水平な直線であるのが望ましい。先行技術の角度２４は一般に約６５度であり、曲線輪郭１７における湾曲Ｒの半径は約０．４２であるが、多くの変形形態が先行技術には存在する。
【００１８】
先行技術の各指部１６、１８の下部軸受長さ２２は、約１．９０〜約２．１０ｍｍ、即ち約２．０ｍｍである。この長さは、かみそりカートリッジのハウジングに係る応力を最小化するのに通常重要である。
【００１９】
図３を参照すると、本発明の新規の接続部材３０が、本体３２と、その本体３２から外側に延在する一対のアーム３４及び３５と、を有するものとして示されている。アーム３４及び３５それぞれの端部３４ａ及び３５ａからは、指部３６及び３８が延在している。
【００２０】
接続部材３０の拡大図４０である図４に見られるように、指部３８は、２つの面取り部４２及び４４を含む傾斜した輪郭３７を有する。
【００２１】
第１の面取り部４２は、約１５〜約４５度、好ましくは約２５度の範囲の、指部の側面３７ａから上面３８ａに延びる角度４２ａを有し、第２の面取り部４４は、約４５〜約８０度、より好ましくは約６２度の範囲の、指部３８の側面３７ｂから上面３８ａまででとった角度４４ａを有する。指部３８の上面３８ａは図示されるように、実質的に水平な直線であるのが望ましい。
【００２２】
接続部材３０の拡大図５０である図５に示されるように、（水平にひっくり返して）対応する輪郭３７が指部３６にもそれぞれ配置され得るのが望ましい。この場合、第１の面取り部５２は、約１５〜約４５度、好ましくは約２５度の範囲の、指部３６の側面３７ａから上面３６ａに延びる角度５２ａを有し、第２の面取り部５４は、約４５〜約８０度、より好ましくは約６２度の範囲の、指部３６の側面３７ｂから上面３６ａに延びる角度５４ａを有する。
【００２３】
図４及び図５に示される本発明の各指部３６、３８の荷重軸受長さ４６、５６は、約１．５０〜約２．５０ｍｍの範囲、好ましくは約１．９４ｍｍである。この領域のこの長さは、かみそりカートリッジのハウジングに係る応力を最小化し、指部の破損を防ぎ、更にハウジングとの十分な面−面接続をもたらすのに通常重要である。本発明において、角度４２ａ及び５２ａが約２５度であることによって、軸受長さ４６、５６は可能な限り長くなって、最適なハウジングとの接触をもたらすことができる。
【００２４】
加えて、軸受長さ４６、５６及び角度４２ａ、５２ａは、接触を損なうことがないようにバランスをとる必要があるだけでなく、以下に記載されるように、図４ａ（従来技術）及び図４ｂに関して以下に記載されるように、これらの要素はともに従来技術と比べてハウジングまでの空間距離を効果的に倍増させる。
【００２５】
例として、図４ａでは、かみそりカートリッジハウジング（図示せず）までの、従来技術の接続部材１０の指部１８の空間距離４７（例えば、２つの物体間の距離又は空いている空間の量）は、面１８ａ及び１８ｂそれぞれの接線１８ａ’及び１８ｂ’の交差点４７ａから、垂直線４７ｂ’から引き出された点４７ｂまでで示されている。従来技術の接続部材１０の空間距離４７は、通常約０．６１ｍｍｍである。
【００２６】
図４ｂでは、かみそりカートリッジハウジング（図６に図示）までの、本発明の接続部材３０の指部３８の空間距離４８は、面３８ａ及び３８ｂそれぞれの接線３８ａ’及び３８ｂ’の交差点４８ａから、垂直線４８ｂ’から引き出された点４８ｂまでで示されている。本発明の二重面取り部の実施形態の空間距離４８は、通常約０．１３４ｍｍであり、したがって、従来技術の空間距離のほぼ２倍である。
【００２７】
空間距離４８が大きいと、望ましくはかみそりハウジングへの接続部材の取り付けが従来技術と比べて容易になる。図６には、複数のブレード６４を有するかみそりカートリッジ６０のかみそりハウジング６２に取り付けられる又は連結される直前の、図３にある本発明の接続部材３０が示されている。本発明によるハウジング６２は、指部３６及び３８を保持する指部受容領域又は開口部６５（図６には１つが示されている）を有する。指部３６及び３８は望ましくは、例えば、ハウジング２０の背部にある開口部６５（図６）への挿入によってかみそりカートリッジ６０に枢動可能に接続し、かみそりカートリッジ６０が接続部材３０に対して望ましくは枢動できるようにする。したがって、本発明の二重面取り部の実施形態は、最大の軸受長さ及び改善された空間距離を提供することによって、枢動運動及びハウジングに対する接続部材の保持を向上させる。
【００２８】
図７は、ハンドルの上方部分に接続部材７４が一体化されたかみそりハンドル７２を有するかみそり７０を描写する。本明細書に説明されるように接続部材７４がかみそりカートリッジ７６に取り付けられ、したがって、面取り部の配置は、新規の指部及び角度によって枢動機構、制御、及び空間距離に改善をもたらす。
【００２９】
本発明の代替的な実施形態は、３つ以上の面取り部を有し得る。
【００３０】
更に、接続部材の一方の側だけ（例えば、指部３８だけ、又は指部３６だけ）が新規の面取り部の特徴を含むことが、本発明において企図される。
【００３１】
もう一方の指部は、先行技術に見られる任意のその他のタイプのものであってもよいし、又は異なる寸法の二重面取り部、若しくは本発明の三重面取り部であってもよい。しかしながら、指部の遠位端部において同一の特徴を有しない又は実質的に左右対称の特徴を有しないことは、剃毛中の操作上の問題などの問題点を呈し得、組み立てにおいて助けとならない可能性がある。
【００３２】
本明細書で開示する寸法及び値は、列挙された正確な数値に厳密に限られるものとして理解されるべきではない。むしろ、特に断わらない限り、係る寸法のそれぞれは、記載される値とその値周辺の機能的に同等の範囲との両方を意味するものとする。例えば、「４０ｍｍ」として開示される寸法は、「約４０ｍｍ」を意味することを意図する。
【００３３】
あらゆる相互参照又は関連特許若しくは関連出願を含む、本明細書に引用される全ての文献は、明確に除外ないしは別の方法で限定されない限り、参照によりその全体が本明細書に組み込まれる。いかなる文献の引用も、本明細書中で開示又は特許請求される任意の発明に対する先行技術であるとは見なされず、あるいはそれを単独で又は他の任意の参考文献（単数又は複数）と組み合わせたときに、そのような発明すべてを教示、示唆、又は開示するとは見なされない。更に、本文書における用語の任意の意味又は定義が、参照することによって組み込まれた文書内の同じ用語の意味又は定義と矛盾する限りにおいては、本文書におけるその用語に与えられた意味又は定義が適用されるものとする。
【００３４】
以上、本発明の特定の諸実施形態を図示、説明したが、本発明の趣旨及び範囲から逸脱することなく他の様々な変更及び改変を行い得る点は当業者には自明であろう。したがって、本発明の範囲内に含まれるそのような全ての変更及び修正は、添付の特許請求の範囲にて網羅することを意図したものである。
【図１】
2017502790.tif 000003
【図２】
2017502790.tif 000004
【図３】
2017502790.tif 000005
【図４】
2017502790.tif 000006
【図４ａ】
2017502790.tif 000007
【図４ｂ】
2017502790.tif 000008
【図５】
2017502790.tif 000009
【図６】
2017502790.tif 000010
【図７】
2017502790.tif 000011
【国際調査報告】
2017502790.tif 000012
2017502790.tif 000013